(57)【要約】      （修正有）【課題】吸収装置に取り付けて、筒体の内周面の掃除に使用される管状の掃除機アタッチメントであって、感光性フィルムロールの製品として、ゴミが付着していないアタッチメントを提供する。【解決手段】アタッチメントの管部の先端は閉塞され、その管部の先端部の周面には、複数の貫通穴が形成されているとともに、先端のラインが円形となるように毛の配置されたブラシが固定され、管部の外径Ａ１、筒体の内径Ａ２、およびブラシの毛の先端のラインの径Ａ３が下記の（１）式と（２）式とを満たす掃除機アタッチメントを用いて掃除を行う。３ｍｍ≦Ａ２−Ａ１≦５ｍｍ…（１）。−２ｍｍ≦Ａ３−Ａ２≦４ｍｍ…（２）【選択図】図１
0003154422.tif 000002
【実用新案登録請求の範囲】
【請求項１】
吸引装置に取り付けて使用され、筒体の内周面の掃除に使用される管状の掃除機アタッチメントであって、前記アタッチメントの管部の先端は閉塞され、その管部の先端部の周面には、複数の貫通穴が形成されているとともに、先端のラインが円形となるように毛の配置されたブラシが固定され、前記管部の外径Ａ１、前記筒体の内径Ａ２、および前記ブラシの毛の先端のラインの径Ａ３が下記の（１）式と（２）式とを満たすことを特徴とする掃除機アタッチメント。
３ｍｍ≦Ａ２−Ａ１≦５ｍｍ…（１）
−２ｍｍ≦Ａ３−Ａ２≦４ｍｍ…（２）
【請求項２】
前記管部の外径Ａ１が７１ｍｍから７３ｍｍの範囲である請求項１記載の掃除機アタッチメント。
【請求項３】
前記ブラシの毛の先端のラインの径Ａ３が７４ｍｍから８０ｍｍの範囲である請求項１または２に記載の掃除機アタッチメント。
【請求項４】
前記ブラシが複数配置され、各ブラシ間に、前記複数の貫通穴が存在することを特徴とする請求項１記載の掃除機アタッチメント。
【請求項５】
前記ブラシが２個から５個の範囲で配置されていることを特徴とする請求項４記載の掃除機アタッチメント。
【請求項６】
前記貫通穴が６個から５０個の範囲で存在することを特徴とする請求項４記載の掃除機アタッチメント。
【請求項７】
前記管部の長さ方向に沿った複数位置に、前記筒体内周面を滑らせるガイドを有する請求項１又は２記載の筒体内周面の掃除機アタッチメント。
【考案の詳細な説明】
【技術分野】
【０００１】
本発明は、感光性フィルムロール（ドライフィルムレジスト等の感光性フィルムが円筒状のコアに巻き付けてあるロール）等の筒体の内周面を掃除するための掃除機アタッチメントに関する。
【背景技術】
【０００２】
プリント配線板用のドライフィルムレジストは、支持フィルム上に感光性樹脂層が形成された構造（あるいは、さらに保護フィルムが積層された３層構造）を有し、円筒状のコアに巻き付けてロールとして供給される。このロールは、例えば、以下のようにして製造される。
先ず、支持フィルム上に感光性樹脂組成物を層状に塗布する工程と、塗布された組成物を乾燥する工程を、例えば支持フィルムの幅が３００〜２０００ｍｍで行い、乾燥工程の後で、必要により乾燥した感光性樹脂組成物の層上に保護層を積層し、長尺なコアに巻き取る。これにより、例えば３００〜２０００ｍｍの幅の感光性フィルムロールを得る。【０００３】
次に、得られたロールをスリッターの巻き戻し軸にセットする。スリッターでは、巻き戻し軸の回転によりロールが巻き戻されて感光性フィルムが送り出され、この送り出された感光性フィルムが、スリッターの刃で各製品に対応させた幅に巻き取り方向に切断されながら、巻き取り軸にセットされた各製品用のコアに巻き取られる。
この製造工程と製品の梱包工程はクリーンルーム内で行われており、ドライフィルムレジストを用いたプリント配線板の製造もクリーンルーム内で行われる。これは、プリント配線板の製造環境にゴミが存在していると、歩留まり低下の原因となるためである。【０００４】
この製造工程で得られた感光性フィルムロールを用いてプリント配線板等を製造するに際して、プリント配線板の歩留まりが低下することがあり、感光性フィルムロール周辺のあらゆる環境を調べたところ、感光性フィルムロールのコア内部に、目視では簡単には見つけ難いゴミが付着している場合があることを突き止め、本発明に至った。
なお、本出願人による調査の結果、現時点で、「感光性フィルムロールのコアの内周面を掃除するためのアタッチメント」が記載されている刊行物は見当たらない。【０００５】
本発明に最も近い従来技術としては、下記の特許文献１に記載された管路内面清掃装置が挙げられる。ただし、この装置は、長尺な管の内面をブラシで強力に擦ることで、内面に付着した頑固な汚れを削り落とすものである。
【特許文献１】特開平１０−２２５６６５号公報
【考案の開示】
【考案が解決しようとする課題】
【０００６】
本発明の課題は、感光性フィルムロールの製品として、ゴミが付着していないものを客先に供給できるようにすることである。
【課題を解決するための手段】
【０００７】
前記課題を解決するために、本発明は、吸引装置に取り付けて、筒体の内周面の掃除に使用される管状の掃除機アタッチメントであって、該アタッチメントの管部の先端は閉塞され、管部の先端部の周面には、複数の貫通穴が形成されているとともに、先端のラインが円形となるように毛の配置されたブラシが固定され、前記管部の外径Ａ１、前記筒体の内径Ａ２、および前記ブラシの毛の先端のラインの径Ａ３が下記の（１）式と（２）式とを満たすことを特徴とする掃除機アタッチメントを提供する。
３ｍｍ≦Ａ２−Ａ１≦５ｍｍ…（１）
−２ｍｍ≦Ａ３−Ａ２≦４ｍｍ…（２）【０００８】
このアタッチメントにおいて、
「３ｍｍ≦Ａ２−Ａ１」を満たさないと、管部は筒体に対して入れ難くなる。
「Ａ２−Ａ１≦５ｍｍ」を満たさないと、吸引力が不十分となる。
「−２ｍｍ≦Ａ３−Ａ２」を満たさないと、吸引力が不十分となる。
「Ａ３−Ａ２≦４ｍｍ」を満たさないと、ブラシの径が大きすぎて筒体内にブラシが入り難く、入った場合でも作業性が悪い。【０００９】
本発明の掃除機アタッチメントを取り付ける吸引装置としては、吸引可能な公知の装置を用いることができ、例えば、掃除機、真空ポンプ、ブロワ、イジェクター、アスピレーターが挙げられる。
本発明の掃除機アタッチメントは、ブラシが管部に複数配置され、各ブラシ間の管部に、前記複数の貫通穴が存在することが好ましい。
本発明の掃除機アタッチメントは、管部の長さ方向に沿った複数位置に、筒体内周面を滑らせるガイドを有することが好ましい。【００１０】
感光性フィルムロールの製造工程として、感光性フィルムが円筒状のコアに巻き付けてある感光性フィルムロールを巻き戻しながら巻き取り方向に切断し、切断された複数の感光性フィルムを別々の巻き取り軸にセットされたコアに巻き取る工程がある。この工程は、前述のように、スリッターを使用して行われる。この工程でスリッターの巻き取り軸にゴミが付着していると、この巻き取り軸から外した感光性フィルムロールのコアの内周面にゴミが移着する恐れがある。
このような感光性フィルムロールのコアの内周面に付着しているゴミを本発明の掃除機用アタッチメントを接続した吸引装置を用いてゴミを吸引し掃除することで、ゴミが付着していない製品を客先に供給することができる。
【考案の効果】
【００１１】
本発明の掃除機アタッチメントを吸引装置に接続して掃除をすれば、筒体内周面に付着したゴミを簡単に除去することができる。よって、本発明の掃除機アタッチメントを用いて、スリッターの巻き取り軸から外した感光性フィルムロールのコアの内周面を掃除することで、ゴミが付着していない製品を客先に供給することができる。
【考案を実施するための最良の形態】
【００１２】
以下、本発明の実施形態について説明する。
本発明による掃除機アタッチメントを用いた実施形態の例の正面図を図１に、平面図を図２に示す。
この掃除機アタッチメントは、図１および図２に示すように、床に設置される台１と、この台１から上方に延びる縦管２と、この縦管２の上部に設けた水平方向に延びる管部すなわち横管３と、縦管２の下部に設けた吸引管（吸引口）４と、を備えている。【００１３】
台１は、平面視で横管３の両側に、横管３と平行に配置される一対の長尺板１１と、横管３と垂直に配置されて両長尺板１１を連結する連結板１２と、からなる。長尺板１１と連結板１２は溶接により固定されている。長尺板１１の裏面の長手方向両端部には、滑り止め用のゴム製の脚１１ａが固定されている。
縦管２は所定長さの円筒体からなり、その一端にフランジ２１が固定され、反対側の端面が塞がれて上側に配置されている。そして、縦管２の上部の周面に円穴が形成され、この円穴に短管２２が溶接により固定されている。この短管２２の先端に、フランジ２２ａが溶接により固定されている。短管２２に、先端が閉塞された横管３がボルト２５で固定されている。【００１４】
横管３は、例えば、複数の両端が開口された管と、先端部用の一端が閉塞された管を接合することで得られる。そして、これらの管の端部にブラシ６，７を取り付ける凹部を設けることで、横管３の所定位置にブラシ６，７を配置できる。
横管３の先端部の周面には貫通穴５が形成されている。ここでは、横管３の長さ方向に沿って６列、周面の円に沿って等間隔で６個、合計３６個の貫通穴５が形成されている。この貫通穴５が形成されている領域の横管３の周面に、横管３の長さ方向に沿って等間隔で、ブラシ６が配置され、各列の貫通穴５は各ブラシ６の両側に近接配置されている。また、この領域以外にも、横管３の長さ方向に沿った二カ所に、ブラシ６と同じブラシ７が配置されている。なおブラシ７はなくてもよく、また、ブラシ６は少なくとも２つあれば良い。また、ブラシ６は２個から５個の範囲であることが好ましい。貫通穴は６個から５０個の範囲で存在することが好ましい。【００１５】
ブラシ６，７は、多数のナイロン製の毛の一端が、環状の枠体に固定されたものであり、毛の先端のラインが直径Ａ３の円に沿っている。例えば、掃除対象となる筒体９の内径Ａ２が７６．０ｍｍである場合、横管の外径Ａ１は、７１〜７３ｍｍの範囲であり、ブラシの毛の先端のラインの径Ａ３は、７４〜８０ｍｍの範囲である。【００１６】
図１及び図２では、掃除機アタッチメントは台により固定されているが、固定手段は台に限定されず、上部から吊るしても良いし、柱、壁・他装置・架台に接続しても良い。掃除される筒体は固定しておいて、掃除機アタッチメント自体を上下、左右、前後、旋回させて動かす形態でも良い。
図１に示すようにアタッチメントとそれを支える台が一体化した形態でも良いし、吸引装置とアタッチメントが溶接により一体化した掃除機の形態でも良い。【００１７】
図１に示す実施形態では、先ず、吸引管４に、クリーンルーム用掃除機（吸引装置）８の吸引ホース８１を接続して、掃除機８のスイッチを入れる。次に、掃除の対象となる筒体９を、この装置の横管３に通す。そして、筒体９の内周面９１をブラシ６，７の毛先で滑らせながら移動し、二点鎖線で示すように、筒体９の後端を、最も先端の貫通穴５がぎりぎり露出しない位置まで至らせてから、引き戻して全体を横管３から外す。【００１８】
これにより、掃除機８の吸引力で、横管３と筒体９との間の空気が貫通穴５から横管３内に吸引されるため、横管３の貫通穴５が形成されている領域で、ブラシ６の毛先で筒体９の内周面９１に付着したゴミが掃かれて、貫通穴５から横管３内に導入され、このゴミが、縦管２を介して掃除機８で吸引される。よって、この掃除機アタッチメントを使用することで、筒体９の内周面９１のゴミを簡単に除去することができる。【００１９】
上述のように、ブラシ６は、筒体９の内周面９１に付着したゴミを掃くだけでなく、筒体９の内周面９１を滑らせるガイドの役目も果たす。また、ブラシ７は、筒体９の内周面９１を滑らせるガイドとして設けてある。そのため、横管３の貫通穴５が形成されている領域以外の位置には、ブラシ７に代えてコロ等をガイドとして設けてもよい。また、横管３の貫通穴５が形成されている領域に、ブラシ６に加えて、樹脂性コロ等のガイドを設けてもよい。【００２０】
また、横管３の長さは、掃除対象の筒体９の長さに対応させて、筒体９の長さ方向全体が掃除できる長さとする。
この掃除機アタッチメントを使用して、スリッターによる切断巻き取り工程を経て得られた感光性フィルムロールを掃除することで、コアの内周面に付着しているゴミが除去されるため、ゴミが付着していない製品を客先に供給することができる。
【図面の簡単な説明】
【００２１】
【図１】本発明による実施形態の掃除機アタッチメントを示す正面図である。
【図２】図１の実施形態の掃除機アタッチメントを示す平面図である。
【図１】
0003154422.tif 000003
【図２】
0003154422.tif 000004